(57)【要約】【課題】コストの増大を抑制しつつ、イベントの企画者における負担を軽減し得る、イベント管理装置、イベント管理方法、及びプログラムを提供する。【解決手段】イベントに関する情報の入力を受け付ける、入力受付部２と、インターネット１０上でサービスを提供するサービス提供サーバ４０にアクセスし、入力された情報に基づいて、サービス提供サーバ４０にサービスを実行させ、実行結果を取得する、外部サービス実行部３と、入力された情報に応じて、イベントを告知するＷｅｂページを作成し、作成したＷｅｂページをＷｅｂサーバ３０に転送する、Ｗｅｂページ作成部４と、転送されたＷｅｂページのアドレスが示された電子メールを作成し、作成した電子メールを、設定された電子メールアドレスへと送信する、電子メール作成送信部５とを備える、イベント管理装置１を用いる。【選択図】図１
2010267026.tif 000002
【特許請求の範囲】
【請求項１】
イベントに関する情報の入力を受け付ける、入力受付部と、
インターネット上でサービスを提供するサービス提供サーバにアクセスし、入力された前記情報に基づいて、前記サービス提供サーバにサービスを実行させ、実行結果を取得する、外部サービス実行部と、
入力された前記情報に応じて、前記イベントを告知するＷｅｂページを作成し、作成したＷｅｂページをＷｅｂサーバに転送する、Ｗｅｂページ作成部と、
転送された前記Ｗｅｂページのアドレスが示された電子メールを作成し、作成した前記電子メールを、設定された電子メールアドレスへと送信する、電子メール作成送信部と、を備えている、ことを特徴とするイベント管理装置。
【請求項２】
前記Ｗｅｂページ作成部が、予め作成されている複数のスタイルシートの中から、入力された前記情報に対応するスタイルシートを選択し、選択したスタイルシートを用いて、前記ＷｅｂページとなるＨＴＭＬ文書を作成する、請求項１に記載のイベント管理装置。
【請求項３】
前記サービス提供サーバが、飲食店の検索サイトを提供する検索サーバである場合に、
前記外部サービス実行部が、入力された前記情報に基づいて、前記検索サーバに、前記イベントに対応する飲食店の検索を実行させる、請求項１または２に記載のイベント管理装置。
【請求項４】
前記サービス提供サーバが、特定の施設の予約サイトを提供する施設予約サーバである場合に、
前記外部サービス実行部が、入力された前記情報に基づいて、前記施設予約サーバに、前記特定の施設の予約を実行させる、請求項１または２に記載のイベント管理装置。
【請求項５】
前記電子メール送信部が、作成した前記電子メールを、前記設定された電子メールアドレスに送信した後に、前記設定された電子メールアドレスからの返信が行われているかどうかを確認し、
全部又は一部の前記設定された電子メールアドレスから返信が行われていない場合に、返信を行っていない、前記設定された電子メールアドレスに、再度、前記電子メールを送信する、請求項１〜４のいずれかに記載のイベント管理装置。
【請求項６】
前記Ｗｅｂページ作成部が、前記外部サービス実行部によって取得された前記実行結果を含む前記Ｗｅｂページを作成する、請求項１〜５のいずれかに記載のイベント管理装置。
【請求項７】
（ａ）イベントに関する情報の入力を受け付ける、ステップと、
（ｂ）インターネット上でサービスを提供するサービス提供サーバにアクセスし、入力された前記情報に基づいて、前記サービス提供サーバにサービスを実行させ、実行結果を取得する、ステップと、
（ｃ）入力された前記情報に応じて、前記イベントを告知するＷｅｂページを作成し、作成した前記ＷｅｂページをＷｅｂサーバに転送する、ステップと、
（ｄ）転送された前記Ｗｅｂページのアドレスが示された電子メールを作成し、作成した前記電子メールを、設定された電子メールアドレスに送信する、ステップと、
を有する、ことを特徴とするイベント管理方法。
【請求項８】
前記（ｃ）のステップで、予め作成されている複数のスタイルシートの中から、入力された前記情報に対応するスタイルシートを選択し、選択したスタイルシートを用いて、前記ＷｅｂページとなるＨＴＭＬ文書を作成する、請求項７に記載のイベント管理方法。
【請求項９】
前記サービス提供サーバが、飲食店の検索サイトを提供する検索サーバである場合に、
前記（ｂ）のステップで、前記（ａ）のステップにおいて入力された前記情報に基づいて、前記検索サーバに、前記イベントに対応する飲食店の検索を実行させる、請求項７または８に記載のイベント管理方法。
【請求項１０】
前記サービス提供サーバが、特定の施設の予約サイトを提供する施設予約サーバである場合に、
前記（ｂ）のステップで、前記（ａ）のステップにおいて入力された前記情報に基づいて、前記施設予約サーバに、前記特定の施設の予約を実行させる、請求項７または８に記載のイベント管理方法。
【請求項１１】
（ｅ）前記（ｄ）のステップにおいて作成した前記電子メールを、前記設定された電子メールアドレスに送信した後に、前記設定された電子メールアドレスからの返信が行われているかどうかを確認し、全部又は一部の前記設定された電子メールアドレスから返信が行われていない場合に、返信を行っていない、前記設定された電子メールアドレスに、再度、前記電子メールを送信する、ステップを更に有している、請求項７〜１０のいずれかに記載のイベント管理方法。
【請求項１２】
前記（ｃ）のステップで、前記（ｂ）のステップによって取得された前記実行結果を含む前記Ｗｅｂページを作成する、請求項７〜１１のいずれかに記載のイベント管理方法。
【請求項１３】
コンピュータに、
（ａ）イベントに関する情報の入力を受け付ける、ステップと、
（ｂ）インターネット上でサービスを提供するサービス提供サーバにアクセスし、入力された前記情報に基づいて、前記サービス提供サーバにサービスを実行させ、実行結果を取得する、ステップと、
（ｃ）入力された前記情報に応じて、前記イベントを告知するＷｅｂページを作成し、作成した前記ＷｅｂページをＷｅｂサーバに転送する、ステップと、
（ｄ）転送された前記Ｗｅｂページのアドレスが示された電子メールを作成し、作成した前記電子メールを、設定された電子メールアドレスに送信する、ステップと、
を実行させる、ことを特徴とするプログラム。
【請求項１４】
前記（ｃ）のステップで、予め作成されている複数のスタイルシートの中から、入力された前記情報に対応するスタイルシートを選択し、選択したスタイルシートを用いて、前記ＷｅｂページとなるＨＴＭＬ文書を作成する、請求項１３に記載のプログラム。
【請求項１５】
前記サービス提供サーバが、飲食店の検索サイトを提供する検索サーバである場合に、
前記（ｂ）のステップで、前記（ａ）のステップにおいて入力された前記情報に基づいて、前記検索サーバに、前記イベントに対応する飲食店の検索を実行させる、請求項１３または１４に記載のプログラム。
【請求項１６】
前記サービス提供サーバが、特定の施設の予約サイトを提供する施設予約サーバである場合に、
前記（ｂ）のステップで、前記（ａ）のステップにおいて入力された前記情報に基づいて、前記施設予約サーバに、前記特定の施設の予約を実行させる、請求項１３または１４に記載のプログラム。
【請求項１７】
（ｅ）前記（ｄ）のステップにおいて作成した前記電子メールを、前記設定された電子メールアドレスに送信した後に、前記設定された電子メールアドレスからの返信が行われて
いるかどうかを確認し、全部又は一部の前記設定された電子メールアドレスから返信が行われていない場合に、返信を行っていない、前記設定された電子メールアドレスに、再度、前記電子メールを送信する、ステップを更に前記コンピュータに実行させる、請求項１３〜１６のいずれかに記載のプログラム。
【請求項１８】
前記（ｃ）のステップで、前記（ｂ）のステップによって取得された前記実行結果を含む前記Ｗｅｂページを作成する、請求項１３〜１７のいずれかに記載のプログラム。
【発明の詳細な説明】
【技術分野】
【０００１】
本発明は、Ｗｅｂサイトを介してイベントに関する情報を参加者に告知する際に利用される、イベント管理装置、イベント管理方法、及びプログラムに関する。
【背景技術】
【０００２】
近年、インターネット技術の発達により、Ｗｅｂサイトによる情報の発信は盛んに行われており、Ｗｅｂサイトの役割は年々重要となってきている。また、特定のコミュニティーや、企業等においては、所属するメンバー間の情報の共有にも、Ｗｅｂサイトが用いられている。更に、Ｗｅｂサイトを用いた情報の発信や共有をより容易なものにするため、種々の技術が提案されている（例えば、特許文献１及び特許文献２参照）。
【０００３】
具体的には、特許文献１は、目的に応じたＷｅｂサイトを自動的に作成し、登録されたユーザにＷｅｂサイトの作成及び更新を電子メールによって通知するシステムを提案している。また、特許文献２は、あるユーザが、発信用の情報を含むメールを送信すると、このメールに基づいて携帯端末用のＷｅｂページを作成すると共に、作成したＷｅｂページのＵＲＬを登録ユーザの携帯端末に通知するシステムを開示している。
【０００４】
このような特許文献１及び特許文献２に開示のシステムによれば、簡単にＷｅｂサイトを作成でき、更に、特定のユーザへの通知が可能となることから、例えば、各種イベントでの参加者の募集にも利用することができる。
【先行技術文献】
【特許文献】
【０００５】
【特許文献１】特開平１０−２８３２８１号公報
【特許文献２】特開２００８−１３９９０５号公報
【発明の概要】
【発明が解決しようとする課題】
【０００６】
ところで、イベントの企画者は、イベントを開催するに際して、参加者へのイベントの通知を行う以外に、開催場所の確保や、備品の準備といった種々のタスクを実行する必要がある。そして、これらのタスクは企画者において大きな負担となっている。
【０００７】
しかしながら、上記特許文献１及び特許文献２に開示のシステムでは、Ｗｅｂサイトの作成機能と参加者へのイベントの通知機能としか備えられておらず、これらのシステムによって企画者の負担を軽減することは困難である。
【０００８】
上記の問題は、例えば、システムにおいて、開催者場所や備品に関する情報、例えば、開催場所となるレストランや施設の予約サイトのＵＲＬ、備品の販売店及びレンタル店のＵＲＬ等を保持しておくことによって、解決可能であるとも考えられる。しかし、この場合は、事前に情報収集を行ってデータベースを独自に構築しなければならず、更に、定期的にデータベースを更新する必要もあるため、システムのコストを引き上げることとなる。
【０００９】
本発明の目的は、上記問題を解消し、コストの増大を抑制しつつ、イベントの企画者における負担を軽減し得る、イベント管理装置、イベント管理方法、及びプログラムを提供することにある。
【課題を解決するための手段】
【００１０】
上記目的を達成するため、本発明におけるイベント管理装置は、イベントに関する情報の入力を受け付ける、入力受付部と、
インターネット上でサービスを提供するサービス提供サーバにアクセスし、入力された前記情報に基づいて、前記サービス提供サーバにサービスを実行させ、実行結果を取得する、外部サービス実行部と、
入力された前記情報に応じて、前記イベントを告知するＷｅｂページを作成し、作成したＷｅｂページをＷｅｂサーバに転送する、Ｗｅｂページ作成部と、
転送された前記Ｗｅｂページのアドレスが示された電子メールを作成し、作成した前記電子メールを、設定された電子メールアドレスへと送信する、電子メール作成送信部と、を備えている、ことを特徴とする。
【００１１】
また、上記目的を達成するため、本発明におけるイベント管理方法は、
（ａ）イベントに関する情報の入力を受け付ける、ステップと、
（ｂ）インターネット上でサービスを提供するサービス提供サーバにアクセスし、入力された前記情報に基づいて、前記サービス提供サーバにサービスを実行させ、実行結果を取得する、ステップと、
（ｃ）入力された前記情報に応じて、前記イベントを告知するＷｅｂページを作成し、作成した前記ＷｅｂページをＷｅｂサーバに転送する、ステップと、
（ｄ）転送された前記Ｗｅｂページのアドレスが示された電子メールを作成し、作成した前記電子メールを、設定された電子メールアドレスに送信する、ステップと、
を有する、ことを特徴とする。
【００１２】
更に、上記目的を達成するため、本発明におけるプログラムは、
コンピュータに、
（ａ）イベントに関する情報の入力を受け付ける、ステップと、
（ｂ）インターネット上でサービスを提供するサービス提供サーバにアクセスし、入力された前記情報に基づいて、前記サービス提供サーバにサービスを実行させ、実行結果を取得する、ステップと、
（ｃ）入力された前記情報に応じて、前記イベントを告知するＷｅｂページを作成し、作成した前記ＷｅｂページをＷｅｂサーバに転送する、ステップと、
（ｄ）転送された前記Ｗｅｂページのアドレスが示された電子メールを作成し、作成した前記電子メールを、設定された電子メールアドレスに送信する、ステップと、
を実行させる、ことを特徴とする。
【発明の効果】
【００１３】
以上の特徴により、本発明における、イベント管理装置、イベント管理方法、及びプログラムによれば、コストの増大を抑制しつつ、イベントの企画者における負担を軽減することができる。
【図面の簡単な説明】
【００１４】
【図１】図１は、本発明の実施の形態におけるイベント管理装置の構成を示すブロック図である。
【図２】図２（ａ）は、本発明の実施の形態においてイベントの企画者からイベント管理装置に入力される情報の一例を示す図であり、図２（ｂ）は、図１に示すサンプル記憶部に格納されているスタイルシートの例を示す図である。
【図３】図３は、本発明の実施の形態におけるイベント管理装置の動作を示すフロー図である。
【発明を実施するための形態】
【００１５】
（実施の形態１）
以下、本発明の実施の形態における、イベント管理装置、イベント管理方法、及びプログラムについて、図１〜図３を参照しながら説明する。最初に、本実施の形態におけるイベント管理装置の構成について説明する。図１は、本発明の実施の形態におけるイベント管理装置の構成を示すブロック図である。
【００１６】
図１に示す本実施の形態におけるイベント管理装置１は、Ｗｅｂサイトを介してイベントに関する情報を登録ユーザ（参加者）に告知するために利用される装置である。図１に示すように、イベント管理装置１は、入力受付部２と、外部サービス実行部３と、Ｗｅｂページ作成部４と、電子メール作成送信部５とを備えている。また、イベント管理装置１は、インターネット１０を介して、Ｗｅｂサーバ３０及びサービス提供サーバ４０に接続されている。
【００１７】
入力受付部２は、イベントに関する情報の入力を受け付けている。外部サービス実行部３は、インターネット１０上でサービスを提供するサービス提供サーバ４０にアクセスする。また、外部サービス実行部３は、入力された情報に基づいて、サービス提供サーバ４０にサービスを実行させ、実行結果を取得する。
【００１８】
Ｗｅｂページ作成部４は、入力された情報に応じて、イベントを告知するＷｅｂページを作成し、作成したＷｅｂページをＷｅｂサーバ４に転送する。また、電子メール作成送信部５は、転送されたＷｅｂページのアドレスが示された電子メールを作成し、作成した電子メールを、設定された電子メールアドレス（登録ユーザの電子メールアドレス等）へと送信する。
【００１９】
このように、イベント管理装置１によれば、イベントの告知に必要なＷｅｂサイトの作成と、登録ユーザへの電子メールによる案内とが自動的に行われる。そして、その際、イベントの企画者は、イベント管理装置１を介して、外部のサービス提供サーバ４０が提供するサービスを利用できるので、企画者における負担は大きく軽減される。また、イベント管理装置１に、データベースを構築する必要もないため、コストの増大も抑制される。
【００２０】
ここで、本実施の形態におけるイベント管理装置について更に図２（ａ）及び図２（ｂ）を用いて具体的に説明する。図２（ａ）は、本発明の実施の形態においてイベントの企画者からイベント管理装置に入力される情報の一例を示す図であり、図２（ｂ）は、図１に示すサンプル記憶部に格納されているスタイルシートの例を示す図である。
【００２１】
図１に示すように、本実施の形態では、イベント管理装置１は、インターネット１０を介して、イベントの企画者のコンピュータ９と、登録ユーザのコンピュータ２０及び２１にも接続されている。また、イベント管理装置１は、上述した構成に加え、更に、通信部６と、サンプル記憶部７と、ユーザ情報記憶部８とを備えている。
【００２２】
通信部６は、インターネット１０を介して外部との通信を行っている。例えば、企画者のコンピュータ９を介して入力された情報は、通信部６を介して、入力受付部２に送られる。また、Ｗｅｂページ作成部４は、通信部６を介して、Ｗｅｂページを、Ｗｅｂサーバ３０に転送する。更に、電子メール作成送信部５は、通信部６を介して、作成した電子メールを送信する。外部サービス実行部３は、通信部６を介して、サービス提供サーバ４０通信する。
【００２３】
本実施の形態において、入力受付部２が受け付けるイベントに関する情報（イベント情報）は、イベントの企画者がイベントに関して告知を望む情報であれば良く、特に限定されるものではない。具体的には、図２（ａ）に示すように、イベントに関する情報として
は、イベントの名称、イベントの目的、男性の参加数、女性の参加数、イベントの開催時期、年齢層、開催場所等が挙げられる。
【００２４】
また、本実施の形態では、入力受付部２は、企画者からの情報の入力を受け付けるためのＷｅｂサイトを提供することもでき、この場合は、企画者は、自己のコンピュータ９に表示されるＷｅｂブラウザを利用して、イベントに関する情報を入力できる。また、Ｗｅｂサイトによって情報の入力を受け付ける場合では、イベントの目的や、イベントの開催時期等といった、予め選択肢を用意することが可能な情報については、チェックボックス、又はプルダウンメニューによって選択できるようにしておくのが好ましい。
【００２５】
Ｗｅｂページ作成部４は、本実施の形態では、入力受付部２が受け付けた情報の内容に応じて、予め作成されている複数のスタイルシート（図２（ｂ）参照）の中から、入力された情報に対応するスタイルシートを選択する。そして、Ｗｅｂページ作成部４は、選択したスタイルシートを用いて、ＷｅｂページとなるＨＴＭＬ文書を作成する。
【００２６】
つまり、本実施の形態では、Ｗｅｂページの基本骨格は原則として変化しないが、Ｗｅｂページの装飾がイベント情報に応じて変化する。例えば、女性の参加数が多い場合は、Ｗｅｂページで利用されるフォントや背景が女性好みのものに設定されているスタイルシートが選択される。なお、当然に、イベントの名称、開催時期、開催場所等の当該イベントに特有の事項は、入力された内容で、Ｗｅｂブラウザに表示される。また、予め作成された複数のスタイルシートは、サンプル記憶部７に記憶されている。
【００２７】
電子メール作成送信部５は、本実施の形態では、作成した電子メールを、設定された電子メールアドレスに送信した後に、設定された電子メールアドレスからの返信が行われているかどうかを確認する。具体的には、電子メール作成送信部５は、登録ユーザのコンピュータ２０及び２１からの、受信を報告するメールの返信が行われているかどうかを確認する。
【００２８】
確認の結果、全部又は一部の登録ユーザの電子メールアドレスから返信が行われていない場合は、電子メール作成送信部５は、返信が行われていない電子メールアドレスに対して、再度、電子メールを送信する。これにより、登録ユーザに対して、イベントの告知を漏れなく行うことができる。なお、本実施の形態では、登録ユーザに関する情報（電子メールアドレスを含む）は、ユーザ情報記憶部８に格納されている。
【００２９】
また、本実施の形態で利用されるサービス提供サーバ４０としては、飲食店の検索サイトを提供する検索サーバ、及び特定の施設の予約サイトを提供する施設予約サーバ等が挙げられるが、特に限定されるものではない。
【００３０】
例えば、サービス提供サーバ４０が、飲食店の検索サイトを提供する検索サーバである場合、外部サービス実行部３は、企画者のコンピュータ９から入力されたイベント情報に基づいて、検索サーバに、イベントに対応する飲食店の検索を実行させる。具体的には、外部サービス実行部３は、イベントの開催場所として指定されている地域に基づいて、検索サーバに検索を行わせる。検索サーバから検索結果が送られてくると、外部サーバ実行部３は、企画者のコンピュータ９に検索結果を送信する。この場合、企画者は、検索結果を用いて、イベントの開催場所として、特定の飲食店を予約することができる。
【００３１】
また、本実施の形態では、外部サーバ実行部３は、企画者が選択した飲食店を特定する情報が、コンピュータ９から入力されると、この情報をＷｅｂページ作成部４に入力することができる。この場合、Ｗｅｂページ作成部４は、選択された飲食店を開催場所として表示するＷｅｂページを作成することができる。
【００３２】
更に、例えば、サービス提供サーバ４０が、特定の施設の予約サイトを提供する施設予約サーバである場合、外部サービス実行部３は、企画者のコンピュータ９から入力された情報に基づいて、施設予約サーバに、特定の施設の予約を実行させる。具体的には、外部サービス実行部３は、イベントの開催場所として施設が指定されている場合に、指定されている施設の予約が可能な施設予約サーバにアクセスし、施設の予約を行わせる。施設予約サーバから、予約の結果が送られてくると、外部サーバ実行部３は、企画者のコンピュータ９に予約結果を送信する。
【００３３】
予約をとることができた場合は、企画者は、そのまま、Ｗｅｂページ作成部４に、Ｗｅｂページの作成を続行させる。一方、予約をとることができなかった場合は、企画者は、新たな施設を入力する。この場合、外部サービス実行部３は、新たな施設の予約が可能な施設予約サーバに予約を行わせる。そして、予約が取れた場合は、外部サービス実行部３は、新たな施設を特定する情報を、Ｗｅｂページ作成部４に入力する。Ｗｅｂページ作成部４は、新たな施設を開催場所として表示するＷｅｂページを作成する。
【００３４】
このように、イベント管理装置１は、外部のサーバが提供するサービスを利用でき、これにより、イベント開催に必要なタスクを実行できる。また、本実施の形態では、サービス提供サーバ４０がＷｅｂサービスの公開ＡＰＩを提供しているのであれば、外部サービス実行部３は、公開ＡＰＩを利用するのが好ましい。この場合、外部サービス実行部３は、公開ＡＰＩとの間で通信を行う。
【００３５】
次に、本発明の実施の形態におけるイベント管理装置１の動作について図３を用いて説明する。図３は、本発明の実施の形態におけるイベント管理装置の動作を示すフロー図である。なお、本実施の形態では、イベント管理装置１を動作させることによって、本実施の形態におけるイベント管理方法が実行される。よって、以下において、本実施の形態におけるイベント管理方法の説明は、イベント管理装置１の動作の説明に代える。また、以下の説明では、適宜図１及び図２を参酌する。
【００３６】
図３に示すように、先ず、入力受付部２が、コンピュータ９からイベントに関する情報の入力を受け付ける（ステップＳ１）。具体的には、本実施の形態では、企画者は、コンピュータ９の表示画面に表示されたＷｅｂブラウザを介して、イベントに関する情報を入力すると、入力された情報がインターネット１０を介して、イベント管理装置１に入力される。
【００３７】
次に、外部サービス実行部３は、ステップＳ１で入力された情報に含まれるイベントの開催場所に基づいて、サービス提供サーバ（検索サーバ）４０に、飲食店の検索を実行させる（ステップＳ２）。ステップＳ２の実行後、サービス提供サーバ４０から検索結果が送信されてくると、外部サービス実行部３は、検索結果を、企画者のコンピュータ９に通知する。
【００３８】
続いて、外部サービス実行部３は、企画者のコンピュータ９から、開催場所を特定する情報（即ち、検索結果の中から選択された飲食店を特定する情報）を受信しているかどうかを判定する（ステップＳ３）。判定の結果、受信していない場合は、外部サービス実行部３は待機状態となる。一方、判定の結果、受信している場合は、外部サービース実行部３は、受信した情報をＷｅｂページ作成部４に送信する。これにより、ステップＳ４が実行される。
【００３９】
ステップＳ４では、Ｗｅｂページ作成部４は、ステップＳ１で入力された情報に応じて、イベントを告知するＷｅｂページを作成し、作成したＷｅｂページをＷｅｂサーバ３０
に転送する。このとき、Ｗｅｂページ作成部４は、選択された飲食店が開催場所として表示されるように、Ｗｅｂページを作成する。
【００４０】
次に、電子メール作成送信部５は、転送されたＷｅｂページのアドレスが示された電子メールを作成し、ユーザ情報記憶部８から登録ユーザの電子メールアドレスを抽出する。そして、電子メール作成送信部５は、作成した電子メールを、抽出した電子メールアドレスへと送信する（ステップＳ５）。
【００４１】
続いて、電子メール作成送信部５は、設定された期間の経過後、全ての登録ユーザから、ステップＳ５で送信した電子メールに対する返信が行われているかどうかを判定する（ステップＳ６）。ステップＳ６の判定の結果、返信を行っていない登録ユーザが存在する場合は、電子メール作成送信部５は、このユーザに対して再度電子メールを送信する（ステップＳ７）。一方、ステップＳ６の判定の結果、返信を行っていない登録ユーザが存在しない場合は、電子メール作成送信部５は、処理を終了する。
【００４２】
また、本実施の形態におけるプログラムは、コンピュータに、図３に示すステップＳ１〜Ｓ７を実行させるプログラムであれば良い。このプログラムをコンピュータにインストールして、実行することによって、本実施の形態におけるイベント管理装置及びイベント管理方法を実現することができる。
【００４３】
この場合、コンピュータのＣＰＵ（Central Processing Unit）は、入力受付部２、外部サービス実行部３、Ｗｅｂページ作成部４、電子メール作成送信部５、及び通信部６として機能し、処理を行なう。更に、サンプル記憶部７及びユーザ情報記憶部８は、コンピュータに備えられたハードディスク等の記憶装置に、これらを構成するデータファイルを格納することによって実現できる。なお、記憶装置は、本実施の形態におけるプログラムがインストールされるコンピュータとは別のコンピュータであっても良い。
【００４４】
以上のように本実施の形態１によれば、イベントの告知に必要なＷｅｂサイトの作成と、登録ユーザへの電子メールによる案内とが自動的に行われる。また、イベントの会場の検索も自動的に行われるので、企画者は検索結果から目的に合うものを選択し、予約するだけで良いので、企画者における負担は大きく軽減される。更に、登録ユーザへの再確認のメールも自動的に送信されるため、この点からも、企画者における負担は軽減されている。
【産業上の利用可能性】
【００４５】
以上のように、本発明のイベント管理装置、イベント管理方法、及びプログラムによれば、コストの増大を抑制しつつ、イベントの企画者における負担を軽減できる。本発明は、Ｗｅｂサイトを介してイベントに関する情報を参加者に告知する際に有効であり、産業上の利用可能性を有している。
【符号の説明】
【００４６】
１  イベント管理装置
２  入力受付部
３  外部サービス実行部
４  Ｗｅｂページ作成部
５  電子メール作成送信部
６  通信部
７  サンプル記憶部
８  ユーザ情報記憶部
９  企画者のコンピュータ
１０  インターネット
２０、２１  登録ユーザのコンピュータ
３０  Ｗｅｂサーバ
４０  サービス提供サーバ
【図１】
2010267026.tif 000003
【図２】
2010267026.tif 000004
【図３】
2010267026.tif 000005